(57)【特許請求の範囲】
【請求項１】
透過型の液晶表示パネルと、
前記液晶表示パネルを背面側から照明する照明ユニットと、を備えた液晶表示装置において、
前記照明ユニットは、
矩形状の第１開口部を有する導光体と、
前記第１開口部と重なる第２開口部、及び、前記第１開口部の端面に対向する壁部を有し、前記導光体を保持するフレームと、
前記壁部の前記液晶表示パネルに対向する端部に配置される緩衝材と、を備えたことを特徴とする液晶表示装置。
【請求項２】
前記緩衝材は、前記液晶表示パネルに接するように配置されていることを特徴とする請求項１に記載の液晶表示装置。
【請求項３】
前記緩衝材と前記フレームとは、同じ色で形成されていることを特徴とする請求項１に記載の液晶表示装置。
【請求項４】
前記壁部は、前記端部に凸部を有し、
前記緩衝材は、前記凸部にはめ込まれたことを特徴とする請求項１に記載の液晶表示装置。
【請求項５】
前記壁部は、前記端部に凹部を有し、
前記緩衝材は、前記凹部にはめ込まれたことを特徴とする請求項１に記載の液晶表示装置。
【発明の詳細な説明】
【技術分野】
【０００１】
この発明は、液晶表示装置に係り、特に、透過型の液晶表示パネル及びこれを照明する照明ユニットを備えた液晶表示装置に関する。
【背景技術】
【０００２】
液晶表示装置は、軽量、薄型、低消費電力などの特徴を生かして、パーソナルコンピュータなどのＯＡ機器や情報端末機器などの表示装置として各種分野で利用されている。近年では、液晶表示装置は、スロットマシンなどの遊技機にも利用されている。遊技機用に搭載される液晶表示パネルは、例えばその筐体の正面に設けられている。
【０００３】
液晶表示パネルは、複数の表示画素を備え、画像を表示可能な表示部を有するとともに、その中央に筐体の内部に収納した表示媒体すなわち回転リールの配置位置に対応する略矩形状の透過部を有している。このような液晶表示パネルは、基本的には通常用途のものと同一構成である。液晶表示パネルと回転リールとの間に配置された照明ユニットは、液晶表示パネルの透過部に対応して、略矩形状の開口部を有している。このように構成することにより、回転リールの絵柄に基づいた抽選結果を外部から目視することが可能となる。
【０００４】
このような液晶表示装置において、回転リールの視認性を改善することが要求されている。特に、特許文献１によれば、光反射シートや反射板が設けられない導光板の露出部分から光が漏れ出し、回胴リールの外周面を不要に照らしてしまうという課題に対して、光を吸収または反射する遮光部材が形成されたスリット状の溝を導光板の開口を囲むように配置する技術が開示されている。また、特許文献２によれば、リール窓部に光偏光パターンがないため、リール窓部の光量が不足するという課題に対して、切り抜きの端面に光散乱加工を施す技術が開示されている。
【特許文献１】特開２００５−１８５８２６号公報
【特許文献２】特開２００５−１５２６６１号公報
【発明の開示】
【発明が解決しようとする課題】
【０００５】
上述したような構成の液晶表示装置においては、液晶表示パネルと照明ユニットとの間の隙間から照明ユニットからの光が漏れ出てしまうことがある。このように漏れ出た光は、特に、液晶表示パネルを斜め方向から観察したときに視認される。このため、回転リールを斜め方向から見ようとしたときに、見栄えが悪化してしまう。また、液晶表示パネルと照明ユニットとの接触により、液晶ゆれ（プーリング）が生じることがある。したがって、液晶表示パネルの表示品位の低下を招くおそれがある。
【０００６】
この発明は、上述した問題点に鑑みなされたものであって、その目的は、液晶表示パネルの表示品位を改善することが可能な液晶表示装置を提供することにある。
【課題を解決するための手段】
【０００７】
この発明の態様による液晶表示装置は、
透過型の液晶表示パネルと、
前記液晶表示パネルを背面側から照明する照明ユニットと、を備えた液晶表示装置において、
前記照明ユニットは、
矩形状の第１開口部を有する導光体と、
前記第１開口部と重なる第２開口部、及び、前記第１開口部の端面に対向する壁部を有し、前記導光体を保持するフレームと、
前記壁部の前記液晶表示パネルに対向する端部上に配置される緩衝材と、を備えたことを特徴とする。
【発明の効果】
【０００８】
この発明によれば、液晶表示パネルの表示品位を改善することが可能な液晶表示装置を提供することができる。
【発明を実施するための最良の形態】
【０００９】
以下、この発明の一実施の形態に係る液晶表示装置、特に遊技機用に利用可能な液晶表示装置について図面を参照して説明する。
【００１０】
図１及び図２に示すように、液晶表示装置１は、略矩形平板状の透過型の液晶表示パネル２を備えている。この液晶表示パネル２は、一対の基板すなわちアレイ基板３及び対向基板４と、これらの間に光変調層として保持された液晶層５と、によって構成されている。また、有効部６は、主に映像を表示可能に構成された映像表示部６Ａと、後述する回転リール１１０を目視可能とする略矩形状の透過部６Ｂと、を有している。
【００１１】
アレイ基板３は、有効部６において、表示画素ＰＸの行方向に沿って延在する複数の走査線Ｙ、表示画素ＰＸの列方向に沿って延在する複数の信号線Ｘ、これらの走査線Ｙと信号線Ｘとの交差部付近において表示画素ＰＸ毎に配置されたスイッチング素子７、スイッチング素子７に接続された画素電極８などを備えている。
【００１２】
スイッチング素子７は、薄膜トランジスタ（ＴＦＴ）などで構成されている。このスイッチング素子７のゲート電極７Ｇは、対応する走査線Ｙに電気的に接続されている（あるいは走査線と一体に形成されている）。スイッチング素子７のソース電極７Ｓは、対応する信号線Ｘに電気的に接続されている（あるいは信号線Ｘと一体に形成されている）。スイッチング素子７のドレイン電極７Ｄは、対応する表示画素ＰＸの画素電極８に電気的に接続されている（あるいは画素電極８と一体に形成されている）。
【００１３】
対向基板４は、有効部６において、全表示画素ＰＸに共通の対向電極９などを備えている。画素電極８及び対向電極９は、インジウム・ティン・オキサイド（ＩＴＯ）やインジウム・ジンク・オキサイド（ＩＺＯ）などの光透過性を有する導電材料によって形成されている。
【００１４】
これらのアレイ基板３及び対向基板４は、それぞれの内面（アレイ基板３における画素電極８が配置された面及び対向基板４における対向電極９が配置された面）に配向膜１０Ａ及び１０Ｂを備えている。アレイ基板３及び対向基板４は、配向膜１０Ａ及び１０Ｂを対向させた状態で配設され、これらの間にギャップを形成する。液晶層５は、アレイ基板３と対向基板４とのギャップに封止された液晶組成物によって形成されている。
【００１５】
また、液晶表示パネル２において、アレイ基板３の外面及び対向基板４の外面には、それぞれ偏光板を含む光学素子ＯＤ１及びＯＤ２が配置されている。
【００１６】
カラー表示タイプの液晶表示装置では、液晶表示パネル２は、複数種類の表示画素、例えば赤（Ｒ）を表示する赤色画素、緑（Ｇ）を表示する緑色画素、青（Ｂ）を表示する青色画素を有している。図２に示した例の液晶表示パネル２は、対向基板４の内面に、赤色画素に対応して赤色の主波長の光を透過する赤色カラーフィルタＣＲを備え、緑色画素に対応して緑色の主波長の光を透過する緑色カラーフィルタＣＧを備え、さらに、青色画素に対応して青色の主波長の光を透過する青色カラーフィルタＣＢを備えている。
【００１７】
このような構成の液晶表示パネル２は、矩形枠状のベゼルカバー１１と照明ユニット１５との間に配置されている。すなわち、照明ユニット１５は、その表面を液晶表示パネル２の背面側（アレイ基板側）に対向させた状態で、液晶表示パネル２とともにベゼルカバー１１と一体化されており、液晶表示パネル２を背面側から照明する。
【００１８】
液晶表示パネル２に駆動信号を供給するドライバ回路１２は、フレキシブルなプリント配線基板１３を介して液晶表示パネル２における一側縁に電気的に接続されている。このドライバ回路１２は、プリント配線基板１３を湾曲させることにより、照明ユニット１５の裏面側に配置される。
【００１９】
図３に示すように、照明ユニット１５は、光源部２０、導光体２１などを備えている。光源部２０は、光源としての冷陰極管２２及びランプリフレクタ２３を備えて構成されている。すなわち、冷陰極管２２は、矩形状の導光体２１の長手方向に延在する細長い円筒状の光源である。ランプリフレクタ２３は、冷陰極管２２から放射された放射光を導光体２１に向けて反射するものであり、冷陰極管２２の周囲を取り囲むように配置されている。
【００２０】
導光体２１は、光透過性を有するアクリル系樹脂やポリカーボネート系樹脂などの樹脂材料により形成されている。ここでは、導光体２１は、略矩形状に成型されており、全体に亘って略均一な厚さＤに形成されている。この導光体２１は、液晶表示パネル２側に面した第１主面２１ｂと、この第１主面２１ｂに対向した第２主面２１ｄと、これらの第１主面２１ｂと第２主面２１ｄとを接続する第１側面２１ａ及び第２側面２１ｃとを有している。
【００２１】
この実施の形態では、光源部２０は、導光体２１の一対の長辺２１Ｅに沿って配置されている。すなわち、冷陰極管２２は、導光体２１の長辺２１Ｅに沿った第１側面２１ａ及び第２側面２１ｃに対して略平行に対向するように配置されている。つまり、導光体２１の第１側面２１ａ及び第２側面２１ｃは、冷陰極管２２からの放射光が入射する光入射面に相当する。
【００２２】
このような構成の導光体２１は、第１側面２１ａ及び第２側面２１ｃを介して入射した冷陰極管２２からの放射光を伝搬し、第１主面２１ｂ及び第２主面２１ｄから出射可能である。つまり、導光体２１の第１主面２１ｂ及び第２主面２１ｄは、導光体２１の内部に入射した光を出射する出射面に相当する。
【００２３】
略矩形状の光学シート２４は、導光体２１の第１主面２１ｂを覆うように配置されている。この光学シート２４は、導光体２１の第１主面２１ｂから出射された出射光に対して所定の光学特性を付与するものであり、例えば、第１主面２１ｂからの出射光を集光する集光シート、及び、第１主面２１ｂからの出射光を拡散する拡散シートなどである。なお、図３に示した例では、１枚の光学シート２４のみを図示しているが、複数の光学シートを積層しても良い。
【００２４】
また、略矩形状の光学シート２５は、導光体２１の第２主面２１ｄを覆うように配置されている。この光学シート２５は、導光体２１の第２主面２１ｄから出射された出射光を再び導光体２１に向けて反射する反射シートである。なお、図３に示した例では、１枚の光学シート２５のみを図示しているが、他の機能を有する光学シートをさらに追加しても良い。
【００２５】
これらの光源部２０、導光体２１、光学シート２４及び２５は、略矩形状のフレーム３０に収容されている。
【００２６】
上述したような構成の液晶表示装置は、以下のように動作する。すなわち、一対の光源部２０の冷陰極管２２に電気エネルギーを供給して、冷陰極管２２を発光させる。これらの冷陰極管２２から放射された線状の放射光の一部は、冷陰極管２２を覆うランプリフレクタ２３の内面にて反射され、それぞれ導光体２１の第１側面２１ａ及び第２側面２１ｃに向けて導出される。また、放射光の一部は、直接第１側面２１ａ及び第２側面２１ｃに導かれる。第１側面２１ａ及び第２側面２１ｃから入射した入射光は、導光体２１の内部を伝搬して、導光体２１の第１主面２１ｂに向けて屈折または反射される。導光体２１の第２主面２１ｄから漏れ出た光は、光学シート２５により再び導光体２１の内部に向けて反射される。
【００２７】
導光体２１の第１主面２１ｂから出射された出射光は、光学シート２４を通過する際に適度に集光されたり、適度に拡散されたりするなどの所定の光学特性が付与される。これにより、導光体２１の第１主面２１ｂから出射された出射光の輝度が向上され、且つ、均一化される。
【００２８】
照明ユニット１５からの照明光、すなわち光学シート２４を通過した光は、液晶表示パネル２の裏面側に導出される。液晶表示パネル２に導出された照明光は、液晶表示パネル２の有効部６を選択的に透過する。これにより、液晶表示パネル２の有効部６に画像が表示される。
【００２９】
次に、スロットマシンなどの遊技機用として利用される液晶表示装置１について説明する。すなわち、図１及び図５に示すように、遊技機は、筐体１００の内部において、可変表示する表示媒体として、回転自在に配置された回転リール１１０を備えている。この回転リール１１０は、回転軸Ｏを中心として回転可能な複数、例えば３個の円筒状のリール本体１１１を備えている。図１に示した例では、３個のリール本体１１１は、回転軸Ｏの延びる方向に沿って配列されている。各リール本体１１１の円筒面には、等間隔に配置された複数の絵柄を有する帯状のリールテープ１１２が貼付されている。
【００３０】
液晶表示装置１は、筐体１００の内部における回転リール１１０の前面側（すなわち観察者側）に配置されている。つまり、液晶表示パネル２は回転リール１１０の前面側に配置され、また、照明ユニット１５は、液晶表示パネル２と回転リール１１０との間に配置されている。筐体１００は、液晶表示装置１に表示された画像を目視可能とする窓部１０２を有しており、この窓部１０２にガラス板などの光透過性を有する保護板１０３を備えている。
【００３１】
このような液晶表示装置１に搭載される照明ユニット１５は、その略中央に回転リール１１０の配置位置に対応して開口部１５Ａを有している。開口部１５Ａは、一対の長辺１５Ｌを有するとともにこれらの長辺に直交する一対の短辺１５Ｓを有する略矩形形状である。
【００３２】
すなわち、図３に示すように、導光体２１は、回転リール１１０の配置位置に対応して略矩形状の開口部（第１開口部）２１Ａを有している。この開口部２１Ａは、長辺１５Ｌのそれぞれに対応した長辺２１Ｌ、及び、短辺１５Ｓのそれぞれに対応した短辺２１Ｓを有している。開口部２１Ａは、長辺２１Ｌに沿った端面２１Ｇａ及び２１Ｇｃ、短辺２１Ｓに沿った端面２１Ｇｂ及び２１Ｇｄの４つの端面２１Ｇを有している。
【００３３】
また、光学シート２４及び２５もそれぞれ同様に、略矩形状の開口部２４Ａ及び２５Ａを有している。開口部２４Ａ及び２５Ａは、長辺１５Ｌのそれぞれに対応した長辺２４Ｌ、２５Ｌ、及び、短辺１５Ｓのそれぞれに対応した短辺２４Ｓ、２５Ｓを有している。
【００３４】
さらに、フレーム３０も同様に、略矩形状の開口部（第２開口部）３０Ａを有している。開口部３０Ａは、長辺１５Ｌのそれぞれに対応した長辺３０Ｌ、及び、短辺１５Ｓのそれぞれに対応した短辺３０Ｓを有している。それぞれの開口部２１Ａ、２４Ａ、２５Ａ、及び３０Ａは、重なるように配置されている。
【００３５】
このように照明ユニット１５に開口部１５Ａを形成することによって、照明ユニット１５の背後に位置する回転リール１１０上の所定数の絵柄を目視可能としている。また、開口部１５Ａを形成することにより、導光体２１の重量が軽減され、液晶表示装置１の軽量化が可能となる。
【００３６】
ところで、液晶表示パネル２は、上述したように、有効部６において、映像表示部６Ａ及び透過部６Ｂを有している。映像表示部６Ａは、マトリクス状に配置された表示画素ＰＸ間にブラックマトリクスとして機能する第１遮光層ＢＭ１を備えている。また、図２に示した例のカラー表示タイプの液晶表示パネル２では、マトリクス状の複数の表示画素ＰＸに対応して配置されたカラーフィルタ層Ｃ（Ｒ、Ｇ、Ｂ）を備えている。
【００３７】
一方で、透過部６Ｂは、回転リール１１０の配置位置に対応して略矩形状に形成されている。透過部６Ｂは、図２に示した例のカラー表示タイプの液晶表示パネル２であっても、遮光層やカラーフィルタ層は備えていない。
【００３８】
このような構成の液晶表示パネル２は、有効部６において、映像表示部６Ａと透過部６Ｂとの間に遮光部６Ｃを有している。この遮光部６Ｃは、矩形状の透過部６Ｂを囲むように映像表示部６Ａと透過部６Ｂとの間に枠状に配置された第２遮光層ＢＭ２を備えている。なお、図２に示した例では、透過部６Ｂ及び遮光部６Ｃは、対向電極９及び配向膜１０Ｂを備えているが、映像を表示しない領域であるため、必ずしも対向電極９及び配向膜１０Ｂを備えている必要はない。
【００３９】
このような液晶表示パネル２の外面（すなわちアレイ基板３の外面及び対向基板４の外面）に配置される一対の光学素子ＯＤ１及びＯＤ２は、それぞれ回転リール１１０が配置される領域に対応してほぼ矩形状の開口部ＡＰを有している。開口部ＡＰは、そのエッジが遮光部６Ｃ上に位置するように配置されている。
【００４０】
このように開口部ＡＰのエッジが遮光部６Ｃに重なるため、背景が黒色となり、見栄えの悪化を防止している。また、照明ユニット１５の開口部１５Ａを規定するように、導光体２１の開口部２１Ａ、光学シート２４の開口部２４Ａ、及び、光学シート２５の開口部２５Ａが互いにずれて積層されたとしても、遮光部６Ｃに重なるため、見栄えの悪化を防止している。
【００４１】
ところで、このような液晶表示装置１において、導光体２１に入射した光が開口部２１Ａの端面２１Ｇから漏れて、回転リール１１０の見栄えの悪化を防止するために、照明ユニット１５において、図３乃至図５に示すように、フレーム３０は、壁部３０Ｂを有している。この壁部３０Ｂは、開口部２１Ａを囲むように枠状に形成され、導光体２１の開口部２１Ａの端面２１Ｇに対向する。
【００４２】
すなわち、フレーム３０は、導光体２１の開口部２１Ａが枠状の壁部３０Ｂに嵌め込まれることによって導光体２１を保持している。このとき、壁部３０Ｂ（３０Ｂａ、３０Ｂｂ、３０Ｂｃ、及び３０Ｂｄ）は、それぞれ開口部２１Ａの端面２１Ｇ（２１Ｇａ、２１Ｇｂ、２１Ｇｃ、及び２１Ｇｄ）に対向するように形成されている。図５に示すように、壁部３０Ｂの高さＨは、開口部２１Ａの端面２１Ｇの高さＤ（導光体２１の厚さＤ）と同等以上になるように形成されている。
【００４３】
このように壁部３０Ｂを形成することによって、開口部２１Ａの端面２１Ｇから回転リール１１０に向かって漏れ出す光を遮断することが可能となる。これにより、回転リール１１０の見栄えの悪化を防止することが可能である。
【００４４】
一方、回転リール１１０を斜め方向から見たときには、遮光部６Ｃの第２遮光層ＢＭ２の幅に制約があるため、液晶表示パネル２と照明ユニット１５との間の隙間から漏れ出た光により、見栄えが悪化してしまう。
【００４５】
そこで、この実施の形態において、照明ユニット１５は、図４及び図５に示すように、壁部３０Ｂの液晶表示パネル２に対向する端部３０Ｆに配置された緩衝材３０Ｃを有している。この緩衝材３０Ｃは、液晶表示パネル２とフレーム３０との間に配置されている。この緩衝材３０Ｃは、その厚さｄが液晶表示パネル２と照明ユニット１５との間の距離と略同等以下になるように形成されている。
【００４６】
図５に示した例では、緩衝材３０Ｃは、液晶表示パネル２に接するように配置されている。つまり、緩衝材３０Ｃは、その厚さｄが液晶表示パネル２と照明ユニット１５との間の距離と略同等になるように形成されている。また、図４に示した例では、緩衝材３０Ｃは、枠状に形成され、端部３０Ｆの全面に配置されている。このような緩衝材３０Ｃは、ゴムなどの弾性を有する材料によって形成可能である。
【００４７】
このように液晶表示パネル２と照明ユニット１５との間に緩衝材３０Ｃを配置することによって、液晶表示パネル２と照明ユニット１５との間の隙間が小さくなる。これによって、斜め方向から見た場合であっても、液晶表示パネル２と照明ユニット１５との間の隙間からの光漏れの影響を軽減することが可能である。
【００４８】
さらに、図５に示した例のように、緩衝材３０Ｃが液晶表示パネル２に接するように配置することによって、液晶表示パネル２と照明ユニット１５との間の隙間から漏れ出る光を遮光することが可能となる。したがって、上述したような緩衝材３０Ｃを配置することによって、回転リール１１０を斜め方向から見たときにおいて、見栄えの悪化を防止することが可能となる。また、緩衝材３０Ｃを液晶表示パネル２に接するように配置することによって、液晶表示パネル２と照明ユニット１５との間の隙間から異物が照明ユニット１５の開口部１５Ａ内に入り込むことを防止できる。
【００４９】
さらに、緩衝材３０Ｃが配置されたため、照明ユニット１５がたわんだり、液晶表示パネル２がたわんだりしても、フレーム３０（壁部３０Ｂ）が直接、液晶表示パネル２に接触しない。また、緩衝材３０Ｃは、弾性を有しているので、液晶表示パネル２に接触しても、その衝撃が緩和され、プーリングの発生を防止することが可能となる。
【００５０】
また、壁部３０Ｂと緩衝材３０Ｃとを同じ色の材料によって形成することが望ましい。回転リール１１０を斜め方向から見たときに、壁部３０Ｂと緩衝材３０Ｃとを同じ色の材料で形成すると、壁部３０Ｂと緩衝材３０Ｃとの境界が認識されにくくなり、見栄えが良くなる。
【００５１】
壁部３０Ｂ及び緩衝材３０Ｃは、反射率の高い白色であることが望ましい。
【００５２】
また、壁部３０Ｂと緩衝材３０Ｃとを黒色の材料を用いて形成した場合においては、壁部３０Ｂと緩衝材３０Ｃとによって光が吸収され、壁部３０Ｂ及び緩衝材３０Ｃの周辺が暗くなってしまう。そこで、このように黒色の材料で形成する場合においては、壁部３０Ｂ及び緩衝材３０Ｃの周辺に反射体を配置する、あるいは、反射シートである光学シート２５を導光体２１の第２主面２１ｄのみならず、端面２１Ｇに対向するように配置することで、局所的な輝度ムラを改善できる。このような構成においても、本実施の形態と同様の効果が得られる。
【００５３】
緩衝材３０Ｃは、端部３０Ｆに接着されるなどして固定されているが、他の方法で固定されても良い。図６に示した例では、壁部３０Ｂは、端部３０Ｆに凸部３０Ｂａを有している。緩衝材３０Ｃは、凸部３０Ｂａにはめ込まれている。また、図７に示した例では、壁部３０Ｂは、端部３０Ｆに凹部３０Ｂｂを有している。緩衝材３０Ｃは、凹部３０Ｂｂにはめ込まれている。図６及び図７に示した構成においても、本実施の形態と同様の効果が得られる。
【００５４】
上述した実施の形態では、緩衝材３０Ｃが壁部３０Ｂの端部３０Ｆにおいて、一連の枠状に配置されている例について説明したが、緩衝材３０Ｃは、このような配置に限らず、一連でなくても良い。例えば、図８に示すように、緩衝材３０Ｃは、島状に形成され、壁部３０Ｂの端部３０Ｆにおいて点在するように配置されても良い。このように構成においても、本実施の形態と同様の効果が得られる。
【００５５】
以上説明したように、この実施の形態に係る遊技機に利用可能な液晶表示装置によれば、液晶表示パネル２と照明ユニット１５との間の隙間からの光漏れを抑制することが可能となる。また、液晶表示パネル２と照明ユニット１５との間に緩衝材３０Ｃが配置されているため、プーリングを防止することが可能となる。つまり、この実施に形態において、液晶表示パネルの表示品位を改善することが可能となる。
【００５６】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５７】
【図１】図１は、この発明の一実施の形態に係る液晶表示装置の構造を概略的に示す分解斜視図である。
【図２】図２は、図１に示した液晶表示装置に適用可能な液晶表示パネルの構造を概略的に示す断面図である。
【図３】図３は、図１に示した液晶表示装置に搭載される照明ユニットの構造を概略的に示す分解斜視図である。
【図４】図４は、図３に示したフレームの構造を概略的に示す分解斜視図である。
【図５】図５は、遊技機に利用される液晶表示装置の構造を概略的に示す断面図である。
【図６】図６は、図３に示したフレームに適用可能な壁部及び緩衝材の構成を概略的に示す断面図である。
【図７】図７は、図３に示したフレームに適用可能な壁部及び緩衝材の他の構成を概略的に断面図である。
【図８】図８は、図１に示した液晶表示装置に適用可能な他のフレームの構造を概略的に示す断面図である。
【符号の説明】
【００５８】
１…液晶表示装置  ２…液晶表示パネル  ＰＸ…表示画素
３…アレイ基板  ４…対向基板  ５…液晶層
６…有効部  ６Ａ…映像表示部  ６Ｂ…透過部  ６Ｃ…遮光部
１５…照明ユニット  １５Ａ…開口部
２０…光源部
２１…導光体  ２１Ａ…開口部  ２１Ｇ…端面
２４…光学シート  ２４Ａ…開口部
２５…光学シート  ２５Ａ…開口部
３０…フレーム  ３０Ａ…開口部  ３０Ｂ…壁部  ３０Ｆ…端部
３０Ｃ…緩衝材  ３０Ｂａ…凸部  ３０Ｂｂ…凹部
１００…筐体  １１０…回転リール
【図１】
0005017690.tif 000002
【図２】
0005017690.tif 000003
【図３】
0005017690.tif 000004
【図４】
0005017690.tif 000005
【図５】
0005017690.tif 000006
【図６】
0005017690.tif 000007
【図７】
0005017690.tif 000008
【図８】
0005017690.tif 000009